(57)【要約】【課題】  簡単な手順で容易にケースに取り付けることができる電子部品取付体及びそのケースへの取付方法を提供する。【解決手段】  第１の取付部材１１に押圧型スイッチ２０を取り付けてなる第１の電子部品取付体１０と、第２の取付部材３１にスライド式スイッチ４０を取り付けてなる第２の電子部品取付体３０とを、第１、第２の取付部材１１，３１の取付面１１ａ，３１ａのなす角度が変化するようにフレキシブル回路基板５０で連結した構造の電子部品取付体１を用意し、押圧型スイッチ２０をケース２に係合させる際に、取付面１１ａ，３１ａのなす角度を変化させながらスライド式スイッチ４０をケース２に係合させることで、この電子部品取付体１をケース２に取り付けるようにした。【選択図】図１
2007059241.tif 000002
【特許請求の範囲】
【請求項１】
第１の取付部材の取付面に第１の電子部品を取り付けてなる第１の電子部品取付体と、第２の取付部材の取付面に第２の電子部品を取り付けてなる第２の電子部品取付体と、前記第１、第２の取付部材の取付面同士のなす角度が変化するように前記第１の電子部品取付体と前記第２の電子部品取付体とを連結する連結手段とを備えたことを特徴とする電子部品取付体。
【請求項２】
請求項１に記載の電子部品取付体において、
前記連結手段は、前記第１の電子部品取付体と前記第２の電子部品取付体を揺動自在に連結していることを特徴とする電子部品取付体。
【請求項３】
請求項２に記載の電子部品取付体において、
前記連結手段は、フレキシブル回路基板であることを特徴とする電子部品取付体。
【請求項４】
請求項２又は３に記載の電子部品取付体において、
前記第１、第２の取付部材の少なくともいずれか一方に、他方に当接して前記取付面同士のなす角度を所定の角度に規制する係止部を設けたことを特徴とする電子部品取付体。
【請求項５】
請求項１に記載の電子部品取付体において、
前記第１、第２の取付部材の取付面同士が所定の角度をなす状態で前記第１、第２の取付部材間を固定する固定手段を備えたことを特徴とする電子部品取付体。
【請求項６】
第１の取付部材の取付面上に第１の電子部品を取り付けてなる第１の電子部品取付体と、第２の取付部材の取付面上に第２の電子部品を取り付けてなる第２の電子部品取付体とを前記第１、第２の取付部材の取付面同士のなす角度が変化するように揺動自在に連結してなる電子部品取付体と、
前記電子部品取付体を取り付けるケースとを用意し、
前記第１の電子部品を前記ケースに係合させる際に、前記第１、第２の取付部材の取付面同士のなす角度を変化させながら前記第２の電子部品を前記ケースに係合させることで、前記電子部品取付体を前記ケースに取り付けることを特徴とする電子部品取付体のケースへの取付方法。
【発明の詳細な説明】
【技術分野】
【０００１】
本発明は、取付部材上にスイッチ等の電子部品を取り付けてなる電子部品取付体及びこの電子部品取付体のケースへの取付方法に関するものである。
【背景技術】
【０００２】
従来、各種電子機器には、例えば特許文献１に示すように取付部材上にスイッチ等の電子部品を取り付けてなる電子部品取付体が設置されている。この電子部品取付体は、取付部材上の電子部品のつまみや突起等を、電子機器の外装ケース（以下、「ケース」という。）に設けた穴や溝等に係合させることで、ケースの下面側に取り付けられる。
【特許文献１】特開平１０−２６１３４４号公報
【発明の開示】
【発明が解決しようとする課題】
【０００３】
ここで、電子機器の内部構造の複雑化に対応するためには、電子部品取付体の構造を、できるだけ簡単な手順で容易にケースに取り付けることが可能な構造にすることが必要である。また一方で、電子機器のデザインの多様化に対応するには、電子部品取付体の構造を、形状の異なる複数種類のケースに取り付けることが可能な汎用性の高い構造とすることも必要である。
【０００４】
本発明は上述の点に鑑みてなされたものでありその目的は、簡単な手順で容易にケースに取り付けることができ、また、形状の異なる複数種類のケースに取り付けることができる電子部品取付体、及びこの電子部品取付体のケースへの取付方法を提供することにある。
【課題を解決するための手段】
【０００５】
上記課題を解決するため本願の請求項１に記載の発明は、第１の取付部材の取付面に第１の電子部品を取り付けてなる第１の電子部品取付体と、第２の取付部材の取付面に第２の電子部品を取り付けてなる第２の電子部品取付体と、前記第１、第２の取付部材の取付面同士のなす角度が変化するように前記第１の電子部品取付体と前記第２の電子部品取付体とを連結する連結手段とを備えたことを特徴とする電子部品取付体にある。
【０００６】
本願の請求項２に記載の発明は、請求項１に記載の電子部品取付体において、前記連結手段は、前記第１の電子部品取付体と前記第２の電子部品取付体を揺動自在に連結していることを特徴とする。
【０００７】
本願の請求項３に記載の発明は、請求項２に記載の電子部品取付体において、前記連結手段は、フレキシブル回路基板であることを特徴とする。
【０００８】
本願の請求項４に記載の発明は、請求項２又は３に記載の電子部品取付体において、前記第１、第２の取付部材の少なくともいずれか一方に、他方に当接して前記取付面同士がなす角度を所定の角度に規制する係止部を設けたことを特徴とする。
【０００９】
本願の請求項５に記載の発明は、請求項１に記載の電子部品取付体において、前記第１、第２の取付部材の取付面同士が所定の角度をなす状態で前記第１、第２の取付部材間を固定する固定手段を備えたことを特徴とする。
【００１０】
本願の請求項６に記載の発明は、第１の取付部材の取付面上に第１の電子部品を取り付けてなる第１の電子部品取付体と、第２の取付部材の取付面上に第２の電子部品を取り付けてなる第２の電子部品取付体とを前記第１、第２の取付部材の取付面同士のなす角度が変化するように揺動自在に連結してなる電子部品取付体と、前記電子部品取付体を取り付けるケースとを用意し、前記第１の電子部品を前記ケースに係合させる際に、前記第１、第２の取付部材の取付面同士のなす角度を変化させながら前記第２の電子部品を前記ケースに係合させることで、前記電子部品取付体を前記ケースに取り付けることを特徴とする電子部品取付体のケースへの取付方法にある。
【発明の効果】
【００１１】
本願の請求項１に記載の発明によれば、電子部品取付体をケースに取り付ける際に、第１、第２の取付部材の取付面同士のなす角度を変化させることができるので、第１，第２の電子部品とケースとの係合構造が複雑であっても、電子部品取付体を簡単な手順で容易にケースに取り付けることが可能となり、電子機器の組み立ての効率が向上する。また、第１、第２の取付部材の取付面同士のなす角度を変化させることで、この電子部品取付体を形状の異なる複数種類のケースに取り付けることが可能となるので、その汎用性を高めることができる。
【００１２】
本願の請求項２に記載の発明によれば、連結手段は、第１，第２の電子部品取付体を揺動自在に連結しているので、電子部品取付体をケースに取り付ける際に、第１、第２の取付部材の取付面同士のなす角度を自由に変化させることが可能となり、電子機器の組み立ての効率がさらに向上する。
【００１３】
本願の請求項３に記載の発明によれば、連結手段をフレキシブル回路基板としたので、簡単な構造で部品点数を増大させずに、第１、第２の取付部材の取付面同士のなす角度を自在に変化させることが可能な電子部品取付体を提供できる。
【００１４】
本願の請求項４に記載の発明によれば、第１、第２の取付部材の取付面同士のなす角度を電子部品取付体をケースに取り付けた際の所定の角度に規制することで、電子部品取付体のケースへの取り付けがより簡単になり、電子機器の組み立ての効率が向上する。
【００１５】
本願の請求項５に記載の発明によれば、電子部品取付体の第１、第２の取付部材の取付面同士のなす角度をケースの形状に応じた所定角度にした状態で、第１、第２の取付部材間を固定できるので、この固定の際の取付面同士のなす角度を変更することで、電子部品取付体を形状の異なる複数種類のケースに取り付けることが可能となり、電子部品取付体の汎用性を高めることができる。
【００１６】
本願の請求項６に記載の発明によれば、第１の電子部品をケースに係合させる際に、第１、第２の取付部材の取付面同士のなす角度を変化させながら第２の電子部品をケースに係合させることで電子部品取付体をケースに取り付けるので、第１，第２の電子部品のケースへの係合構造が複雑な場合でも、電子部品取付体を簡単な手順で容易にケースに取り付けることが可能となり、電子機器の組み立ての効率が向上する。
【発明を実施するための最良の形態】
【００１７】
以下、本発明の実施形態を図面に基づいて詳細に説明する。
〔第１実施形態〕
図１は、本発明の第１実施形態にかかる電子部品取付体１と、この電子部品取付体１を取り付けるケース２とを示す斜視図である。同図では、電子部品取付体１とケース２はいずれもその一部のみを図示している。以下、これら電子部品取付体１とケース２の詳細な構造について説明する。
【００１８】
電子部品取付体１は、第１の取付部材１１に第１の電子部品（以下、本実施形態では「押圧型スイッチ付き回転式電子部品」という）２０を取り付けてなる第１の電子部品取付体１０と、第２の取付部材３１に第２の電子部品（以下、本実施形態では「スライド式スイッチ」という）４０を取り付けてなる第２の電子部品取付体３０と、これら第１の電子部品取付体１０と第２の電子部品取付体３０とを揺動自在に一体に連結する連結手段（以下、本実施形態では「フレキシブル回路基板」という）５０とを備えて構成されている。
【００１９】
第１の電子部品取付体１０は、金属あるいは合成樹脂などの硬質材料で略矩形の平板状に形成された第１の取付部材１１の取付面１１ａ上に、押圧型スイッチ付き回転式電子部品２０を設置して、その周囲を囲むように合成樹脂の成型品である略矩形の箱型の小ケース２１を取り付けた構成で、この小ケース２１の上面に設けた開口部２２から、押圧型スイッチ付き回転式電子部品２０を構成する押釦つまみ２３と回転つまみ２４が突出している。押釦つまみ２３は、上面に略円形の平板状の押釦部２３ａを備えた合成樹脂の成型品で、押圧されて下降することで、小ケース２１内に設置した図示しないスイッチをオンするようになっている。また、回転つまみ２４は、略円形のリング状に形成された合成樹脂の成型品で、押釦つまみ２３の周囲を囲む位置に配置され、回転することで小ケース２１内の図示しない電気的機能部の電気的出力を変化させるようになっている。また第１の取付部材１１には、その第２の電子部品取付体３０に面する両角部の上面に、貫通穴からなる取付固定部１２，１２が設けられている。
【００２０】
一方、第２の電子部品取付体３０は、第１の取付部材１１と同じ材料で略矩形の平板状に形成された第２の取付部材３１の取付面３１ａ上に、スライド式スイッチ４０の各構成部品（図示せず）を配置し、その上に合成樹脂の成型品である略矩形の箱型の小ケース４１を被せて取り付けた構成で、小ケース４１の上面の略中央に設けた開口部４２からスライドつまみ４３が露出している。このスライドつまみ４３は、上面に突起状の操作部４３ａが設けられた合成樹脂の成型品で、開口部４２内をスライド移動することで、小ケース４１内に設置した図示しない電気的機能部の電気的出力を変化させるようになっている。また、小ケース４１の上面のスライドつまみ４３に隣接する位置には、略円柱形状の小突起からなるＬＥＤ照明４４が設置されている。ＬＥＤ照明４４は、透光性を有する合成樹脂の成形品で、その下部に設置された図示しない発光体の光が内部を透過して先端部等から導出されるようになっている。さらに小ケース４１の両側面には、小突起状の固定部４５が形成されている。
【００２１】
そして、これら第１，第２の電子部品取付体１０，３０を連結しているフレキシブル回路基板５０は、可撓性を有する合成樹脂フイルム（ポリエチレンテレフタレートフイルム〔ＰＥＴフイルム〕等）製で、第１，第２の電子部品取付体１０，３０の間に連結部５１が配置され、連結部５１の一端側の図示しない部分が第１の電子部品取付体１０の小ケース２１内に配置されて、連結部５１の他端側の図示しない部分が第２の電子部品取付体３０の小ケース４１内に配置されている。また、このフレキシブル回路基板５０上の所定位置には、図示は省略するが導電塗料等を印刷形成してなるスイッチパターンや接点パターン等の各種回路パターンが形成されている。このフレキシブル回路基板５０の小ケース２１内に配置された部分が、押圧型スイッチ付き回転式電子部品２０の電気的機能部の一部を構成し、小ケース４１内に配置された部分が、スライド式スイッチ４０の電気的機能部の一部を構成している。
【００２２】
このように、フレキシブル回路基板５０によって第１の電子部品取付体１０の一端と第２の電子部品取付体３０の一端とが連結されており、図１に示すように、第１、第２の取付部材１１，３１の取付面１１ａ，３１ａの延長上にあるこれらの面の交線を回動軸Ｒとして、この回動軸Ｒを中心に第２の取付部材３１が第１の取付部材１１に対して回動するようになっている。つまり第２の取付部材３１が、第１の取付部材１１に対してこの回動軸Ｒを中心に回転する方向に揺動自在になっていることで、第１、第２の取付部材１１，３１の取付面１１ａ，３１ａのなす角度が自由に変化する。
【００２３】
また第２の取付部材３１には、その第１の取付部材１１に面する端面３１ｂの両端から第１の取付部材１１に向かって舌片状に突出し、その根元部分が第１の取付部材１１の下面（取付面１１ａの裏面）側に向かって所定角度で折り曲げられている一対の係止部３２，３２が設けられている。この係止部３２，３２は、第２の電子部品取付体３０が第１の電子部品取付体１０に対して揺動する際に、第１の取付部材１１の下面に当接することで、第１、第２の取付部材１１，３１の取付面１１ａ，３１ａが所定角度をなす位置で、第２の取付部材３１のそれ以上の揺動を規制するものである。また、この係止部３２，３２には、第１の取付部材１１の取付固定部１２，１２に対応する位置に設けた貫通穴からなる取付固定部３３，３３と、第１の取付部材１１の下面に設けた図２に示す位置決め突起１５を係合させる位置決め穴３４，３４とが設けられている。
【００２４】
ケース２は、合成樹脂の成型品からなる各種電子機器の外装ケースであり、その下面に電子部品取付体１を取り付けるもので、平面状の上面部６１の一端に、その面が上面部６１の下方に向かって湾曲する湾曲部６２が接続され、さらにその先に上面部６１に対して所定角度傾斜した傾斜面である傾斜部６３が接続され、これら上面部６１から傾斜部６３にかけての両側部には、下面側に向かう側壁６４，６４が設けられている。そして上面部６１の略中央には、押圧型スイッチ付き回転式電子部品２０の押釦つまみ２３と回転つまみ２４とを挿入させる開口部６５が設けられ、上面部６１の下面の開口部６５の周囲の２箇所には、下方に向かって突出する突起状の固定部６８が設けられている。また傾斜部６３には、その略中央にスライドつまみ４３を配置する開口部６６が形成されると共に、開口部６６に隣接する位置にＬＥＤ照明４４を突出させる貫通穴６７が形成され、傾斜部６３の両側の側壁６４には、小ケース４１の固定部４５，４５を係合させる貫通穴からなる取付固定部６９，６９が設けられている。
【００２５】
次に、電子部品取付体１をケース２に取り付ける手順を説明する。図２はこの手順を説明するための概略側断面図である。まず、同図（ａ）に示すように、押釦つまみ２３と回転つまみ２４とをケース２の下面側から開口部６５に挿入してその上面側に突出させると共に、図１に示すケース２の固定部６８，６８を、第１の取付部材１１の取付固定部１２，１２に挿通させて、押圧型スイッチ付き回転式電子部品２０を上面部６１の下側に取り付ける。このとき同時に、スライド式スイッチ４０を傾斜部６３の下側に取り付ける。その際、スライド式スイッチ４０のＬＥＤ照明４４を貫通穴６７に挿入するが、それにはＬＥＤ照明４４の先端部を貫通穴６７の位置に合わせ、その後同図（ｂ）の矢印Ａで示すように、第２の取付部材３１を前記の揺動軸を支点として第１、第２の取付部材１１，３１の取付面１１ａ，３１ａのなす角度が小さくなる方向（第２の取付部材３１が第１の取付部材１１の下面側に向かって回転する方向）に揺動させることで、ＬＥＤ照明４４の向きを変えながらその全体を貫通穴６７に挿入し、同図（ｃ）に示すように、その先端部をケース２の上面側に突出させる。
【００２６】
そして、ＬＥＤ照明４４が貫通穴６７に挿入されると同時に、図１に示すスライドつまみ４３がケース２の開口部６６の下側に配置されてその上面側に露出する。また、ケース２の側壁６４，６４の内側に小ケース４１の両側面が配置される際に、小ケース４１の固定部４５，４５によって側壁６４，６４が外側に向かって僅かに撓められて、固定部４５，４５が取付固定部６９，６９にスナップイン係合する。以上により、スライド式スイッチ４０が傾斜部６３の下面側に取り付けられる。またこのとき、図２（ｃ）に示すように係止部３２，３２が第２の取付部材１１の下面に当接して、第１、第２の取付部材１１，３１の取付面１１ａ，３１ａのなす角度が所定角度に規制された状態となる。そして、取付固定部１２，１２から下側に突出しているケース２の固定部６８，６８が、係止部３２，３２に設けた取付固定部３３，３３にも挿入されて、その先端が係止部３２，３２の下面側に突出すると共に、第１の取付部材１１の位置決め突起１５が、係止部３２，３２の位置決め穴３４，３４に係合することで、第１、第２の取付部材１１，３１間の正確な位置決めがなされる。この状態で、係止部３２，３２の下面側に突出した固定部６８，６８の先端を熱カシメすれば、電子部品取付体１のケース２への取り付けが完了する。図３は、電子部品取付体１をケース２に取り付けた状態を示す斜視図である。
【００２７】
ここで図４を用いて、従来構造の電子部品取付体をケース２に取り付ける際の問題点を説明する。同図に示す従来の電子部品取付体１００は、第１、第２の取付部材１１，３１が所定角度をなした状態で、一体に形成されているか、あるいは予め一体に取り付けられている。この場合、押圧型スイッチ付き回転式電子部品２０をケース２の上面部６１の下面側に取り付ける際に、同時に、スライド式スイッチ４０のＬＥＤ照明４４を、同図の矢印Ｂに示すように貫通穴６７の真下方向からこの貫通穴６７に向かって挿入することになるので、ＬＥＤ照明４４の先端部が貫通穴６７の周囲に接触してしまい簡単に挿入できない。この問題に対応するには、押圧型スイッチ付き回転式電子部品２０を平面部６１に対して斜め下方向から取り付けるか、あるいは電子部品取付体１００をケース２に対して傾けながら取り付けるなど、煩雑な取り付け作業が必要となってしまう。そこで本発明にかかる電子部品取付体１では、上記のように第１、第２の取付部材１１，３１を揺動自在に連結した構造とすることで、押圧型スイッチ付き回転式電子部品２０を上面部６１に取り付ける際に、同時に、スライド式スイッチ４０のＬＥＤ照明４４が貫通穴６７の周囲に接触することなく貫通穴６７に簡単に挿入されるようにし、電子部品取付体１をケース２に取り付ける手順を簡単にしている。
【００２８】
このように第１，第２の電子部品取付体１０，３０をフレキシブル回路基板５０で連結し、第１、第２の取付部材１１，３１のなす角度を変化させながら電子部品取付体１をケース２に取り付けるようにしたので、電子部品取付体１のケース２への取り付けが簡単な手順で容易に行えて、電子機器の組み立ての効率が向上する。また、第２の取付部材３１に係止部３２を設けたことで、第１、第２の取付部材１１，３１の取付面１１ａ，３１ａのなす角度をケース２に取り付けられる際の所定角度に規制できるので、電子部品取付体１のケース２への取り付けがさらに容易になると共に、取付後に第１、第２の取付部材１１，３１が確実に固定される。
【００２９】
なお、上記実施形態で電子部品取付体１に設置した電子部品の種類及びその具体的な構造は一例であり、これ以外の種類及び構造の電子部品を設置してもよいし、設置した電子部品のケース２への係合方法も、上記以外の様々な方法がある。また、ケース２の具体的な形状も上記の実施形態には限定されない。また、上記実施形態では、２個の電子部品取付体を連結手段で連結したものを示したが、さらに他の電子部品取付体を増設して３個以上の電子部品取付体を連結した構成としてもよい。また、上記実施形態では第２の取付部材３１に係止部３２を設けた場合を示したが、係止部は第１の取付部材１１に設けても良いし、第１、第２の取付部材１１，３１の両方に設けてもよい。
【００３０】
〔第２実施形態〕
次に、本発明の第２実施形態にかかる電子部品取付体を説明する。以下の本実施形態にかかる図面及びその説明においては、上記の第１実施形態と共通する構成部分には同一の符号を付す。なお以下で説明する事項以外の事項や図示する以外の部分については、第１実施形態と同じである。図５は、本発明の第２実施形態にかかる電子部品取付体１−２の斜視図で、同図ではその一部を分解した状態を示している。本実施形態が第１実施形態と異なるのは、第１実施形態の電子部品取付体１において第１，第２の電子部品取付体１０，３０間を連結しているフレキシブル回路基板５０を省略し、それにかえて、第１、第２の取付部材１１，３１間をボルト７５及びナット７６で連結して固定する連結固定手段７０を備えた点である。
【００３１】
即ち、この電子部品取付体１−２は、第１の取付部材１１の第２の取付部材３１に面する端面１１ｂの両外側に、第１の取付部材１１の下面側に向かって舌片状に突出する一対の取付部１３，１３を設け、この取付部１３，１３に貫通穴１４，１４を形成している。また、第２の取付部材３１の第１の取付部材１１に面する端面３１ｂの両外側にも、第２の取付部材３１の下面側に向かって舌片状に突出する一対の取付部３５，３５を設け、この取付部３５，３５に貫通穴３６，３６を形成している。一方、ボルト７５は、その軸７５ａの長さ寸法Ｌ１が、第１、第２の取付部材１１，３１間の幅寸法（取付部１４，１４の間、又は取付部３５，３５の間の幅寸法）Ｌ２と略同一の寸法に形成されていて、この軸７５ａの先端（長さＬ１よりも先の部分）にナット７６を取り付けるネジ溝部７５ｂが設けられている。これらで構成される連結固定手段７０を組み立てるには、第１の取付部材１１の端面１１ｂと第２の取付部材３１の端面３１ｂとを突き合わせて、取付部１３，１３と取付部３５，３５のそれぞれ一方同士を重ね合わせ、貫通穴１４，１４と貫通穴３６，３６の位置を一致させて、ボルト７５の軸７５ａを一方の取付部１３，３６の貫通穴１４，３６から他方の取付部１３，３６の貫通穴１４，３６まで挿通させ、他方の取付部１４，３６の外側に突出したネジ溝部７５ｂにナット７６を取り付ける。
【００３２】
この連結固定手段７０は、第２の取付部材３１が第１の取付部材１１に対してボルト７５の軸７５ａを回動軸Ｒ´として回動自在に連結されていて、第２の取付部材３１は、この回動軸Ｒ´を中心に回転する方向に揺動自在になっている。すなわち、ナット７６を第２の取付部材３１が回動可能な程度に締めておくことで、その状態で第２の取付部材３１を回動させて、第１、第２の取付部材１１，３１のなす角度を自由に変化させることができる。そして、第２の取付部材３１の第１の取付部材１１に対する角度が決定したら、その位置でナット７６をさらに締め付けて第２の取付部材３１を固定することが可能である。これにより、第１、第２の取付部材１１，３１の取付面１１ａ，３１ａ同士の角度を自由に変化させることができ、且つこれらが所望の角度をなす位置で固定することができる。
【００３３】
この連結固定手段７０によれば、第１、第２の取付部材１１，３１の取付面１１ａ，３１ａのなす角度を自由に変えることができ、且つ、取付面１１ａ，３１ａがケース２に取り付けられる際の所定の角度をなす状態で、第１、第２の取付部材１１，３１間を固定することができるので、電子部品取付体１−２を形状の異なる複数種類のケース２に取り付けることが可能となり、電子部品取付体１−２の汎用性が高くなる。これにより、形状の異なるケース２ごとに異なる構造の電子部品取付体を用意する必要が無くなる。このようにあらかじめ取付面１１ａ，３１ａのなす角度を所定角度にして第１、第２の取付部材１１，３１間を固定しておく場合は、図５に示すように、ケース２への係合構造が複雑であるスライド式スイッチ４０のＬＥＤ照明４４を省略するか、ケース２又はＬＥＤ照明４４を係合が容易な形状に変更すればよい。なお、第１、第２の取付部材１１，３１が回動可能な状態で電子部品取付体１−２をケース２に取り付け、その後、第１、第２の取付部材１１，３１のなす角度が決定した状態で、ナット７６を締め付けてこれら第１、第２の取付部材１１，３１間を固定することも可能である。
【００３４】
本実施形態の電子部品取付体１−２が備える連結固定手段７０は、第１、第２の取付部材１１，３１を揺動自在に連結する連結手段としての機能と、第１、第２の取付部材１１，３１が所定の角度をなす状態でこれらを固定する固定手段としての機能とを兼ね備えたものであるが、これ以外にも、第１、第２の取付部材１１，３１を揺動自在に連結する連結手段と、第１、第２の取付部材１１，３１間を固定する固定手段とをそれぞれ別の機構として設置することも可能である。その場合の連結手段は、上記の構造以外にも例えば、第１、第２の取付部材１１，３１間をヒンジ構造で連結するものや、第１実施形態のようにフレキシブル回路基板５０で連結するものでもよい。また固定手段も、ボルト７５とナット７６による締め付け固定には限定されず、それ以外にも例えば図示は省略するが、第１、第２の取付部材１１，３１にそれぞれ設けた突起と溝を係合させるようなものでも良く、その具体的な構造は限定されない。
【００３５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。
【図面の簡単な説明】
【００３６】
【図１】本発明の第１実施形態にかかる電子部品取付体とケースの斜視図である。
【図２】電子部品取付体をケースに取り付ける手順を説明するための図である。
【図３】電子部品取付体をケースに取り付けた状態を示す斜視図である。
【図４】電子部品取付体をケースに取り付ける際の問題点を説明するための図である。
【図５】本発明の第２実施形態にかかる電子部品取付体の斜視図である。
【符号の説明】
【００３７】
１          電子部品取付体
１０        第１の電子部品取付体
１１        第１の取付部材
１１ａ      取付面
２０        押圧型スイッチ付き回転式電子部品（第１の電子部品）
２１        小ケース
２３        押釦つまみ
２４        回転つまみ
３０        第２の電子部品取付体
３１        第２の取付部材
３１ａ      取付面
３２，３２  係止部
４０        スライド式スイッチ（第２の電子部品）
４１        小ケース
４２        開口部
４３        スライドつまみ
４４        ＬＥＤ照明
５０        フレキシブル回路基板（連結手段）
７０        連結固定手段
【図１】
2007059241.tif 000003
【図２】
2007059241.tif 000004
【図３】
2007059241.tif 000005
【図４】
2007059241.tif 000006
【図５】
2007059241.tif 000007